(57)【要約】　　　（修正有）【課題】水道用コンセントに用いられる浄水機能付吐水口部材および浄水機能付水栓ならびに分岐バルブに用いられる浄水機能付吐水口部材を提供すること。【解決手段】前面開口１を有するハウジング本体３と、流入口４および流出口５を有するとともに前記ハウジング本体３内に収容される水栓本体６と、止水・吐水機能および流量調整機能を有する操作部材７と、給水ホース９の上流端に設けられた継手部材１０が着脱自在である給水口部１１とを備えて壁、パネルまたは床に固定設置されるよう構成され、更に、前記給水口部１１は、前記継手部材１０が接続されていないときには止水状態とし、接続されると吐水状態とするよう構成されてなる水道用コンセントＤに用いられる浄水機能付吐水口部材３０であって、この浄水機能付吐水口部材３０は、前記給水口部１１に簡易着脱自在に接続されるよう構成されるとともに、取替自在に内蔵される浄水カートリッジ３１を有する。【選択図】　　　　　　図１
2004052375.tif 000002
【特許請求の範囲】
【請求項１】
前面開口を有するハウジング本体と、流入口および流出口を有するとともに前記前面開口を介して前記ハウジング本体内に収容される水栓本体と、止水・吐水機能および流量調整機能を有する操作部材と、散水器、洗濯機などの給水ホースの上流端に設けられた継手部材が着脱自在である給水口部とを備えて壁、パネルまたは床に固定設置されるよう構成され、更に、前記給水口部は、前記継手部材が接続されていないときには、弾性部材によって下流側へと付勢される弁体が上流側から弁座部材に当接して止水状態とする一方、前記継手部材が接続されると、前記弾性部材の付勢力に抗して前記弁体が前記弁座部材から上流側へと離間して吐水状態とするよう構成されてなる水道用コンセントに用いられる浄水機能付吐水口部材であって、この浄水機能付吐水口部材は、前記給水口部に簡易着脱自在に接続されるよう構成されるとともに、取替自在に内蔵される浄水カートリッジを有することを特徴とする水道用コンセントに用いられる浄水機能付吐水口部材。
【請求項２】
前記吐水口部材は、前記給水口部に簡易着脱自在に接続されて湯水混合水、あるいは、水のいずれかよりなる原水の給水流路を形成する継手と、この継手を介して前記給水口部に接続される吐水口本体と、前記給水流路に連通する原水流路を形成する貫通穴を有する円筒状の前記浄水カートリッジとを備え、更に、前記吐水口本体は、前記浄水カートリッジが取替自在に内蔵されている浄水カートリッジ内蔵部と、この浄水カートリッジ内蔵部の下流端に設けたヘッド部とよりなり、しかも、このヘッド部は、上流端に前記浄水カートリッジの外側に形成される環状の浄水流路に連通する浄水用開口と前記原水流路に連通する原水用開口とを有するとともに、この原水用開口の下流側に、前記原水流路を吐水流路に連通させて原水を吐水する原水吐水状態と前記原水流路を閉塞しながら前記浄水流路を前記吐水流路に連通させて浄水を吐水する浄水吐水状態とを切替える切替手段を有する請求項１に記載の水道用コンセントに用いられる浄水機能付吐水口部材。
【請求項３】
前記切替手段は、前記ヘッド部の横側部に露出したシーソー式の切替用の回動操作具を有する請求項２に記載の水道用コンセントに用いられる浄水機能付吐水口部材。
【請求項４】
止水・吐水機能および流量調整機能を兼ねた操作部材と、散水器、洗濯機などの給水ホースの継手部材が簡易着脱自在に接続され、前記継手部材が接続されていないときには、弾性部材によって下流側へと付勢される弁体が上流側から弁座部材に当接して止水状態とする一方、前記継手部材が接続されると、前記弾性部材の付勢力に抗して前記弁体が前記弁座部材から上流側へと離間して吐水状態とするよう構成された給水口部と、この給水口部に簡易着脱自在に接続する吐水口部材とを備え、前記給水口部に前記吐水口部材を接続して前記吐水状態とし、前記操作部材を吐水操作することによって前記吐水口部材から給水できるように構成してある水栓において、前記吐水口部材に浄水カートリッジが取替自在に内蔵されていることを特徴とする浄水機能付水栓。
【請求項５】
前記吐水口部材は、前記給水口部に簡易着脱自在に接続されて湯水混合水、あるいは、水のいずれかよりなる原水の給水流路を形成する継手と、この継手を介して前記給水口部に接続される吐水口本体と、前記給水流路に連通する原水流路を形成する貫通穴を有する円筒状の前記浄水カートリッジとを備え、更に、前記吐水口本体は、前記浄水カートリッジが取替自在に内蔵されている浄水カートリッジ内蔵部と、この浄水カートリッジ内蔵部の下流端に設けたヘッド部とよりなり、しかも、このヘッド部は、上流端に前記浄水カートリッジの外側に形成される環状の浄水流路に連通する浄水用開口と前記原水流路に連通する原水用開口とを有するとともに、この原水用開口の下流側に、前記原水流路を吐水流路に連通させて原水を吐水する原水吐水状態と前記原水流路を閉塞しながら前記浄水流路を前記吐水流路に連通させて浄水を吐水する浄水吐水状態とを切替える切替手段を有する請求項４に記載の浄水機能付水栓。
【請求項６】
前記切替手段は、前記ヘッド部の横側部に露出したシーソー式の切替用の回動操作具を有する請求項５に記載の浄水機能付水栓。
【請求項７】
食器洗い機、浄水器、洗濯機等の機器の給水ホースの継手部材が簡易着脱自在に接続され、前記継手部材が接続されていないときには、弾性部材によって下流側へと付勢される弁体が上流側から弁座部材に当接して止水状態とする一方、前記継手部材が接続されると、前記弾性部材の付勢力に抗して前記弁体が前記弁座部材から上流側へと離間して吐水状態とするよう構成された給水口部を有し、水栓に分岐ソケットを介して分岐接続されて前記分岐ソケットとで前記水栓から分岐流路を形成するよう構成された分岐バルブに用いられる浄水機能付吐水口部材であって、この浄水機能付吐水口部材は、前記給水口部に簡易着脱自在に接続されるよう構成されるとともに、取替自在に内蔵される浄水カートリッジを有することを特徴とする分岐バルブに用いられる浄水機能付吐水口部材。
【請求項８】
前記吐水口部材は、前記給水口部に簡易着脱自在に接続されて湯水混合水、あるいは、水のいずれかよりなる原水の給水流路を形成する継手と、この継手を介して前記給水口部に接続される吐水口本体と、前記給水流路に連通する原水流路を形成する貫通穴を有する円筒状の前記浄水カートリッジとを備え、更に、前記吐水口本体は、前記浄水カートリッジが取替自在に内蔵されている浄水カートリッジ内蔵部と、この浄水カートリッジ内蔵部の下流端に設けたヘッド部とよりなり、しかも、このヘッド部は、上流端に前記浄水カートリッジの外側に形成される環状の浄水流路に連通する浄水用開口と前記原水流路に連通する原水用開口とを有するとともに、この原水用開口の下流側に、前記原水流路を吐水流路に連通させて原水を吐水する原水吐水状態と前記原水流路を閉塞しながら前記浄水流路を前記吐水流路に連通させて浄水を吐水する浄水吐水状態とを切替える切替手段を有する請求項７に記載の分岐バルブに用いられる浄水機能付吐水口部材。
【発明の詳細な説明】
【０００１】
【発明の属する技術分野】
この発明は、水道用コンセントに用いられる浄水機能付吐水口部材および浄水機能付水栓ならびに分岐バルブに用いられる浄水機能付吐水口部材に関する。
【０００２】
【従来の技術】
本出願人は、水のみを吐水する給水用水栓や、湯水混合水を吐水する湯水用水栓としての水道用コンセントを開発している。例えば図９〜図１２に示すような前記給水用水栓としての水道用コンセントＤは、直方体形状で、前面開口１を有するとともに、左右の側面に前後方向にスライド可能に設けた一対のスライド部材２，２を有するハウジング本体３と、配管である給水用樹脂パイプから水が流入する流入口４および操作部材７によって流量調整された水を流出する流出口５を有するとともに、セラミック製の固定ディスクおよび可動ディスクを内蔵するカートリッジ式の弁体を有し、前記前面開口１を介して前記ハウジング本体３内に収容される水栓本体６と、この水栓本体６の上部に設けられ、止水・吐水機能と流量調整機能を有する前記操作部材７と、水栓本体６の下部に前記流出口５を介して設けられ、散水器８、洗濯機などの給水ホース９の上流端に設けられた継手部材１０が着脱自在である給水口部１１と、水栓本体６の下部に前記流入口４を介して設けられ、鞘管１２に被覆された給水用樹脂パイプが接続される接続部１３と、前面開口１を介してハウジング本体前面側に着脱自在に嵌込まれた枠体１４と、この枠体１４内に着脱自在に嵌込まれた化粧プレート１５とを備えている。そして、この化粧プレート１５の上部に位置する開口１６に操作部材７が配置され、化粧プレート１５の下部に位置する開口１７に前記給水口部１１が配置され、例えば家屋の外壁１８に設けた取付用の開口内に、枠体１４の裏面における外周端面部１４ａと一対のスライド部材２，２とで外壁１８を挟むことにより、水道用コンセントＤは固定設置される。
【０００３】
この水道用コンセントＤは、図８、図１２に示すように、散水器８の給水ホース９の継手部材１０が給水口部１１に連結されていないときは、弾性部材１９によって下流側へと付勢される弁体２１が上流側から弁座部材２２に当接して水が通れず止水状態とする一方、継手部材１０が給水口部１１に連結されると、図７に示すように、弾性部材１９の付勢力に抗して弁体２１が弁座部材２２から上流側へと離間して吐水状態となり、操作部材７を吐水操作することによって給水口部１１から散水器８を介して給水でき、それによって、ガーディニングや洗車が行えるとともに、給水中に子供のいたずらなどによって、継手部材１０が不意に給水口部１１から外されたとしても、給水口部１１から水が吐出されず、水漏れ事故などを未然に防ぐことができるというものである。
なお、湯水混合水を吐水する湯水用の水道用コンセントを水道用コンセントＤに代えて用いた場合は、散水器８の給水ホース９の継手部材１０を給水口部１１に接続し、操作部材７を吐水操作すると、湯水混合水で洗車できたり、散水器８の給水ホース９に代えて洗濯機の給水ホースを給水口部１１に接続し、操作部材７を吐水操作すると、湯水混合水で洗濯できる。
【０００４】
【発明が解決しようとする課題】
しかし、上記構成の水道用コンセントＤは、浄水機能を持っていなかった。
【０００５】
この発明は上述の事柄に留意してなされたもので、その目的は、水道用コンセントに用いられる浄水機能付吐水口部材および浄水機能付水栓ならびに分岐バルブに用いられる浄水機能付吐水口部材を提供することである。
【０００６】
【課題を解決するための手段】
上記目的を達成するために、この発明の水道用コンセントに用いられる浄水機能付吐水口部材は、前面開口を有するハウジング本体と、流入口および流出口を有するとともに前記前面開口を介して前記ハウジング本体内に収容される水栓本体と、止水・吐水機能および流量調整機能を有する操作部材と、散水器、洗濯機などの給水ホースの上流端に設けられた継手部材が着脱自在である給水口部とを備えて壁、パネルまたは床に固定設置されるよう構成され、更に、前記給水口部は、前記継手部材が接続されていないときには、弾性部材によって下流側へと付勢される弁体が上流側から弁座部材に当接して止水状態とする一方、前記継手部材が接続されると、前記弾性部材の付勢力に抗して前記弁体が前記弁座部材から上流側へと離間して吐水状態とするよう構成されてなる水道用コンセントに用いられる浄水機能付吐水口部材であって、この浄水機能付吐水口部材は、前記給水口部に簡易着脱自在に接続されるよう構成されるとともに、取替自在に内蔵される浄水カートリッジを有することを特徴とする。
【０００７】
また、この発明は別の観点から、止水・吐水機能および流量調整機能を兼ねた操作部材と、散水器、洗濯機などの給水ホースの継手部材が簡易着脱自在に接続され、前記継手部材が接続されていないときには、弾性部材によって下流側へと付勢される弁体が上流側から弁座部材に当接して止水状態とする一方、前記継手部材が接続されると、前記弾性部材の付勢力に抗して前記弁体が前記弁座部材から上流側へと離間して吐水状態とするよう構成された給水口部と、この給水口部に簡易着脱自在に接続する吐水口部材とを備え、前記給水口部に前記吐水口部材を接続して前記吐水状態とし、前記操作部材を吐水操作することによって前記吐水口部材から給水できるように構成してある水栓において、前記吐水口部材に浄水カートリッジが取替自在に内蔵されていることを特徴とする浄水機能付水栓を提供する。
【０００８】
また、この発明は更に別の観点から、食器洗い機、浄水器、洗濯機等の機器の給水ホースの継手部材が簡易着脱自在に接続され、前記継手部材が接続されていないときには、弾性部材によって下流側へと付勢される弁体が上流側から弁座部材に当接して止水状態とする一方、前記継手部材が接続されると、前記弾性部材の付勢力に抗して前記弁体が前記弁座部材から上流側へと離間して吐水状態とするよう構成された給水口部を有し、水栓に分岐ソケットを介して分岐接続されて前記分岐ソケットとで前記水栓から分岐流路を形成するよう構成された分岐バルブに用いられる浄水機能付吐水口部材であって、この浄水機能付吐水口部材は、前記給水口部に簡易着脱自在に接続されるよう構成されるとともに、取替自在に内蔵される浄水カートリッジを有することを特徴とする分岐バルブに用いられる浄水機能付吐水口部材を提供する。
【０００９】
【発明の実施の形態】
以下、この発明の実施の形態について説明する。
この発明の特徴は、図９〜図１２に示した給水用の水道用コンセントＤの給水口部１１に簡易着脱自在に接続する吐水口部材３０を設け、この吐水口部材３０は、取替自在に内蔵される浄水カートリッジ３１を有する点にあり、浄水カートリッジ３１を内蔵してある前記吐水口部材３０を給水口部１１に接続して吐水状態とし、止水・吐水機能と流量調整機能を兼ねた操作部材７を吐水操作することによって前記吐水口部材３０から浄水または原水を給水できるようになっている。
【００１０】
図１〜図６は、前記水道用コンセントＤに用いられるこの発明の一実施形態を示す。なお、図１〜図６において、図７〜図１２で示した符号と同一のものは、同一または相当物である。
【００１１】
そして、この実施形態では、給水ホースとして庭先でのガーディニングや駐車場での洗車に用いられる散水器８の給水ホース９が採用されている。
【００１２】
なお、湯水混合水を吐水する湯水用の水道用コンセントを前記給水用の水道用コンセントＤに代えて用いることもできる。また、前記給水用の水道用コンセントＤの構成は図９〜図１２を用いて既に詳述されているので、以下にその説明を省略する。
【００１３】
図１〜図６において、前記吐水口部材３０は、前記給水口部１１に簡易着脱自在に接続されて原水（この実施形態では水）の給水流路ａを形成する継手３３と、この継手３３を介して前記給水口部１１に接続する吐水口本体３４と、この吐水口本体３４に内蔵され、原水流路ｂを形成する貫通穴３５を有する円筒状の前記浄水カートリッジ３１とを備えている。吐水口本体３４に浄水カートリッジ３１が内蔵された状態では、原水流路ｂは前記給水流路ａに連通し、また、貫通穴３５は、浄水カートリッジ３１の軸線Ａ上に位置する。また、浄水カートリッジ３１は、例えば高性能抗菌繊維活性炭フィルタ３８を有する。なお、湯水用の水道用コンセントを用いた場合は、継手３３によって原水としての湯水混合水の給水流路ａも形成できる。そして、前記継手３３の給水口部１１に対する接続構造は、散水器８の給水ホース９の上流端に設けられた継手部材１０の給水口部１１に対する接続構造と同一である。
【００１４】
更に、前記吐水口本体３４は、浄水カートリッジ３１が取替自在に内蔵されている筒状の浄水カートリッジケース部３６と、この浄水カートリッジケース部３６の下流端に設けたヘッド部３７とよりなる。前記継手３３は、ほぼ円筒状の継手本体８０の下流端に外ねじ３３ａを有する一方、浄水カートリッジケース部３６は、上流端に外ねじ３３ａに螺合する内ねじ３６ａを有し、これにより、継手３３は浄水カートリッジケース部３６に接続され得る。
【００１５】
このヘッド部３７は、下部側に吐水流路Ｐ’，Ｐ，Ｑを形成するチャンバ４９を有する。また、ヘッド部３７は、前記浄水カートリッジ３１の外側に浄水カートリッジケース部３６とで形成される環状の浄水流路ｃに連通する浄水用開口４０を上流端に有するとともに、ヘッド部３７の上流端おける前記軸線Ａ上に前記原水流路ｂに連通する原水用開口４１を有する。すなわち、浄水吐水状態では、浄水カートリッジケース部３６の内周面ｍおよび前記フィルタ３８の外周面ｎ間に形成される環状空間部Ｓを前記フィルタ３８によって濾過された浄水が浄水用開口４０へ流出する。この浄水吐水状態では、図４に示すように、後述する金属製のボール弁体Ｂによって原水流路ｂと吐水流路Ｐ’，Ｐ，Ｑを連通させるための開口４５（後述する）が閉塞されることにより、給水流路ａから浄水カートリッジ３１の貫通穴３５、すなわち、前記フィルタ３８の内側を流れる原水が原水用開口４１でＵターンするとともに、給水流路ａ側の水圧によって原水が前記フィルタ３８内から浄水カートリッジ３１の径方向に流れ、このフィルタ３８で濾過された浄水が、浄水流路ｃから浄水用開口４０を経て前記吐水流路Ｐ，Ｐ’，Ｑを形成するチャンバ４９に至り吐水する。なお、前記浄水用開口４０は前記チャンバ４９に常時連通している。
【００１６】
一方、浄水吐水状態から原水吐水状態に切替わると、図３に示すように、閉塞されていた前記開口４５が開放されて貫通穴３５内の原水が原水用開口４１を通って前記チャンバ４９に至り吐水する。この場合、前記浄水用開口４１は前記チャンバ４９に常時連通しているので、原水用開口４１を通った原水は前記浄水用開口４０を介して環状空間部Ｓにも流れ込み原水の溜まり部となるが、給水流路ａ側の水圧が大であるので原水用開口４１を通った原水の大半は直接前記チャンバ４９に流れ込む。また、原水が貫通穴３５を流れる時点においても給水流路ａ側の水圧が大であり、かつ、原水用開口４１と前記開口４５が連通しているので、原水が前記フィルタ３８に浸透する割合は極めて小さい。
【００１７】
そして、ヘッド部３７は、原水用開口４１の下流側に、前記原水流路ｂを吐水流路Ｐ’，Ｐ，Ｑに連通させて原水を吐水する原水吐水状態と前記原水流路ｂを閉塞しながら前記浄水流路ｃを前記吐水流路Ｐ’，Ｐ，Ｑに連通させて浄水を吐水する浄水吐水状態とを切替える切替手段を有する。
【００１８】
この切替手段は、前記ヘッド部３７の横側部に露出したシーソー式の切替用の回動操作具３９を有する。すなわち、図６に示すように、回動操作具３９は、前面に、浄水吐水状態か、あるいは、原水吐水状態かを容易に目視できる切替え表示部４４を有する。この切替え表示部４４は、浄水吐水状態を示す表示部分４４ａと原水吐水状態を示す表示部分４４ｂとよりなる。
【００１９】
更に、前記切替手段は、ヘッド部３７の上部側の空間部Ｓ’に、前記原水流路ｂを前記吐水流路Ｐ’，Ｐ，Ｑに連通させるための前記開口４５が形成された弁座部材５０と、この弁座部材５０上に前記回動操作具３９の回動操作に連動して前記吐水流路Ｐ’，Ｐ，Ｑを開閉する前記弁体Ｂを保持する弁体保持部材５１を有する。
【００２０】
すなわち、図６に示すように、前記弁座部材５０の上面板５０ａに、前記チャンバ４９に対応させて原水流路ｂと吐水流路Ｐ’，Ｐ，Ｑを連通させる開口４５を設けるとともに、ヘッド部３７の上部側の空間部に、上下方向の軸芯まわりで回動可能に合成樹脂製の前記弁体保持部材５１を設け、この弁体保持部材５１に、弁体保持部材５１の回動に伴って前記開口４５を開閉させる金属製のボール弁体Ｂを、スプリング５３によって閉弁方向に付勢させて設けている。また、この弁体保持部材５１に前記回動操作具３９を連設し、かつ、この操作具３９をヘッド部３７の横側部に露出させてある。なお、前記スプリング５３とボール弁体Ｂは、この順で筒体５５に下側から挿入されている。
【００２１】
前記回動操作具３９の回動軸部は、弁座部材５０の上面板５０ａに立設するピン５６と、このピン５６に嵌入係合するようピン５６の形状に合わせて回動操作具Ａ３９穿設した孔３９ａとで構成される。
【００２２】
５７は、弁座部材５０の上面板５０ａに開口４５と並設されたボール弁体Ｂ用の溝である。すなわち、図３、図５に示す原水吐水状態では、前記開口４５は、ボール弁体Ｂによって覆われておらず、ボール弁体Ｂは前記溝５７に位置したままである。一方、回動操作具３９を原水吐水状態から図４に示す浄水吐水状態に切替操作すると、回動操作具３９の作動に連動してボール弁体Ｂが前記溝５７から前記開口４５に移動するよう弁体保持部材５１が回動する。
【００２３】
６０は、ヘッド部３７の下部側に回動自在に設けたリング状の回転ハンドルで、直放水の吐水流路Ｐ，Ｐ’と散水用の吐水流路Ｑに切替える機能を有する。
。なお、ヘッド部３７は、中央部に浄水の直放水の吐水流路Ｐや原水の直放水の吐水流路Ｐ’を形成する吐水口部６１を有する一方、吐水口部５１のまわりに原水の散水用の吐水流路Ｑや浄水の散水用の吐水流路（図示せず）を形成する吐水口部６２を有する。前記吐水口部６１には、例えばメッシュの周囲を合成樹脂材で縁取りした複数枚の散水板６１ａ…が設けられている。また、吐水口部６２にも散水板６２ａが設けられている。
【００２４】
以下、吐水口部材３０の継手３３と水道用コンセントＤの給水口部１１の簡易着脱自在な接続機構について説明する。
【００２５】
図８において、給水口部１１は、ほぼ円筒状の継手本体６３内に、弁座部材２２とこの弁座部材２２に上流側から当接可能な弁体２１とよりなるストップ弁６４を有し、更に、弁体２１を下流側へと付勢する弾性部材１９を有する。
【００２６】
前記継手本体６３は、内壁の上流部に段差６５が形成されており、また、外周面にロック溝部６６が設けられている。さらに、継手本体６３の上流側には、前記段差６５を介して継手本体６３の内径よりも小さい径となる流路が連通されており、また、継手本体６３の内壁下流部には、雌ねじ部６６が設けられている。
【００２７】
前記弁座部材２２は、ほぼ円筒状の部材であり、前記雌ねじ部６６に螺着可能な雄ねじ部６７が外周面に設けられているとともに、内壁上流部には、弁座部２２ａが設けられている。
【００２８】
前記弁体２１は、下流側に突出部２１ａを有するとともに、上流側に筒部２１ｂを有する。
【００２９】
前記弁体２１は、外周に、たとえばＯリングなどのシール部材６８を装着することが可能となっている。
【００３０】
前記突出部２１ａは、側面視がほぼＬ字形状であり、突出部２１ａの下流端部Ｔの先端は、継手本体６３の長さ方向に対してほぼ直角をなす角度を向くように設けられている。
【００３１】
前記筒部２１ｂは、継手本体６３の内壁に沿って摺動可能であり、スリット６０が側面に四つ形成されている。また、筒部２１ｂの上流部に設けられた段差７０よりも上流側の部分は、内径が大きくなる薄壁部分７１となっている。
【００３２】
前記弾性部材１９は、たとえばコイルスプリングであり、上流端が継手本体６３の段差６５に、下流端が弁体２１の段差７０にそれぞれ当接し、弁体２１を常に下流側へ付勢している。
【００３３】
次に、図８を用いて継手３３について説明する。この継手３３は、散水器８の給水ホース９の上流端に設けられた継手部材１０の給水口部１１に対する接続構造と同一の接続構造を継手本体８０の下流側に有する。更に、継手３３は、継手本体８０の上流側先端部の外壁に沿って、継手本体８０の軸芯方向に摺動可能であるとともに、スプリング８１によって常に上流側へ付勢されているほぼ円筒状の摺動部材８２を有する。
【００３４】
前記継手本体８０の上流側先端部の内壁には、上流側から順に、前記ロック溝部６６を係止するための係止部９９と、前記継手本体６３の外周面に当接可能なシール部材８３と、内径が小さくなる小径部８４とが形成されている。
【００３５】
前記係止部８２は、四つの貫通孔８５、８５…と、各貫通孔８５により保持される四つのロックボール８６、８６…とからなる。
【００３６】
前記摺動部材８２には、その内周面に突出部８７が内側に向かって形成されており、さらに、この突出部８７の上流側には、その内周面が突出部８７の内周面よりも外側になるように設けられた凹入部８８が形成されている。そして、前記突出部８７の下流側の側面に、摺動部材８２を常に上流側に付勢するスプリング８１の上流側の端部が当接する構成となっている。
【００３７】
また、継手本体８０の先端部外周面には、リング状の抜け止め部材９０が設けられており、この抜け止め部材９０は、前記摺動部材８２が継手本体８０から上流側へ抜けることを防止するためのものである。
【００３８】
次に、上記の構成からなる継手３３を前記給水口部５８に連結する際の動作について説明する。
【００３９】
給水口部１１に継手３３が接続されていない図８に示す状態では、弁体２１が弾性部材１９によって常に下流側へ付勢されていることから、弁体２１のシール部材６８が、弁座部材７２の弁座部２２ａに当接した状態となっており、水が弁座部２２ａを流通不能となっている。
【００４０】
一方、接続前の継手３３では、摺動部材８２は、その摺動可能範囲の最も上流に位置し、このとき、摺動部材８２の突出部８７は、前記係止部９９のすぐ外側に位置する。この状態では、突出部８７は前記ロックボール８６を継手本体８０の内側へ付勢し、このように付勢された前記ロックボール８６は、継手本体８０の内壁の内側へ突出することになる。そして、継手本体８０の内壁の内側へ突出したロックボール８６は、給水口部１１の前記継手本体６３が継手本体８０の内部に進入することを阻止する。
【００４１】
上記のような状態にある継手３３の摺動部材８２を下流側へ摺動させると、継手本体６３を継手本体８０に取り付けることが可能となる。
【００４２】
すなわち、摺動部材８２を下流側へ摺動させると、前記係止部９９のすぐ外側に位置していた突出部８７がこの位置から下流側へ移動し、凹入部８８が係止部９９のすぐ外側に位置することになる。そして、この状態では、前記ロックボール８６は継手本体８０の内壁から凹入部８８へと退避することが可能となり、継手本体６３を継手本体８０の内部へ進入させることが可能な状態（以下、進入可能状態という）となる。
【００４３】
上記進入可能状態にある継手本体８０を、前記継手本体６３に外嵌させると、まず、前記弁体２１の下流端部Ｔが、継手本体８０の内壁下流部に設けられた小径部９８（図１、図７参照）に上流側から当接する。そして、継手本体８０をさらに継手本体６３に深く差し込むと、前記小径部９８が下流端部Ｔを上流側へ付勢することになり、この付勢が弾性部材１９による下流側への付勢よりも大きくなると、弁体２１が上流側へ摺動することになる。このように弁体２１が上流側へと摺動した状態では、弁座部２２ａに当接していた弁体２１のシール部材６８が、弁座部２２ａから離れることになり、弁座部２２ａを水が流通可能となる。なお、前記下流端部Ｔの上流面から継手本体６３の下流端までの距離は、弁体２１と弁座部２２ａとの間を充分にあけることができるように設定されている。
【００４４】
一方、継手本体８０を継手本体６３に可能な限り差し込んだ状態では、前記係止部９９がロック溝部６６のすぐ外側に位置することになる。そして、下流側へと摺動させていた前記摺動部材８２をスプリング８１の付勢に委ねると、摺動部材８２は初期の位置に戻り、ロックボール８６は前記突出部９８により再び継手本体８０の内側へ付勢される。このように付勢されたロックボール８６は、継手本体６３のロック溝部６６に当接し、これにより継手本体８０は給水口部１１から抜けないようにロックされる。
【００４５】
上記のように給水口部１１に継手３３を連結した状態とすることで、前記吐水状態とし、前記操作部材７を吐水操作することによって前記吐水口部材３０から浄水や原水を吐出させることができる。
【００４６】
なお、継手本体６３から吐水口部材３０を外すには、上記のロックボール８６とロック溝部６６とによるロックを解除する必要があり、このロックの解除は、前記摺動部材８２を下流側へ摺動させることで行うことができる。すなわち、摺動部材８２を下流側へ摺動させると、前記ロックボール８６は摺動部材８２の凹入部８８へと退避可能となり、ロックボール８６によるロック溝部６６の係止が解除され、前記ロックが解除されることとなる。ロック解除の操作は、片手で行うことができる。
【００４７】而して、図１２に示すように、ガーディニングや洗車に使用した散水器８の給水ホース９を給水口部１１から取り外し、吐水口部材３０を給水口部１１に取り付けると、操作部材７を吐水操作することによって前記吐水口部材３０から浄水や原水を吐出させることができる。前記吐水口部材３０から例えばバケツに入れられた浄水は、熱帯魚等の生き物の飼育に使用することができ、原水を使用する場合に比して極めて安全である。また、飲料水としても浄水は有効である。
【００４８】
そして、別の観点から、図１に示したものは、給水口部１１を有する水道用コンセントＤと、前記給水口部１１に簡易着脱自在に接続する吐水口部材３０と、この吐水口部材３０に取替自在に内蔵される浄水カートリッジ３１とからなる浄水機能付水栓との見方もできる。
すなわち、図１において、浄水機能付水栓は、止水・吐水機能および流量調整機能を兼ねた操作部材７と、散水器、洗濯機などの給水ホース９の継手部材１０が簡易着脱自在に接続され、前記継手部材１０が接続されていないときには、弾性部材１９によって下流側へと付勢される弁体２１が上流側から弁座部材２２に当接して止水状態とする一方、前記継手部材１０が接続されると、前記弾性部材１９の付勢力に抗して前記弁体２１が前記弁座部材２２から上流側へと離間して吐水状態とするよう構成された給水口部１１と、この給水口部１１に簡易着脱自在に接続する吐水口部材３０とを備えて、前記給水口部１１に前記吐水口部材３０を接続して前記吐水状態とし、前記操作部材７を吐水操作することによって前記吐水口部材３０から給水できるように構成してあり、更に、前記吐水口部材３０に浄水カートリッジ３１が取替自在に内蔵されている。
【００４９】
また、この発明は、水道用コンセントＤに限らず前記給水口部１１を有するものであれば適用できる。例えば、水栓に分岐ソケットを介して分岐接続されて前記分岐ソケットとで前記水栓から分岐流路を形成するよう構成された図１３に示す分岐バルブ１００にも適用できる。この分岐バルブ１００は、下流側に前記給水口部１１を有する。
すなわち、図１７に示すように、例えば台所の壁に水用偏心管１６０および湯用偏心管１６１を介して設けられているシングルレバー式の湯水混合水栓１６２に分岐流路を形成して例えば食器洗い機等のホースＨ（図１８参照）を湯水混合水栓１６２に接続するのに分岐ソケット１６９およびアダプタ１７０が用いられている。設置の手順は以下の通りである。
【００５０】
図１３に示す状態で、偏心管１６０，１６１に設けた流量調節栓１６０ａ，１６１ａで止水したり、止水栓を閉めたりして、図１４に示すように、シングルレバー１６３および吐水管１６４を含む湯水混合水栓１６２の水栓本体１６６を偏心管１６０，１６１から左右のナット１６７，１６８を交互に少しずつ緩めて取り外す。
【００５１】
続いて、図１５に示すように、分岐ソケット１６９およびアダプタ１７０をそれぞれ水用偏心管１６０および湯用偏心管１６１に接続する。この場合、分岐ソケット１６９の一端に設けた外ねじ１７１をパッキン１７２を介してナット１６８の内ねじ１６８ａに螺合する。また、アダプタ１７０の一端に設けた外ねじ１７３をパッキン１７４を介してナット１６７の内ねじ１６７ａに螺合する。
【００５２】
続いて、図１６に示すように、分岐ソケット１６９の他端に設けたナット１８１とアダプタ１７０の他端に設けたナット１８０を交互に少しずつまわして水栓本体１６６を偏心管１６０，１６１に取り付ける。この場合、水栓本体１６６に設けた水導入部１８３の外ねじ１８３ａをパッキン１８５を介してナット１８１の内ねじ１８１ａに螺合する。また、水栓本体１６６に設けた湯導入部の外ねじをパッキン１８９を介してナット１８０の内ねじ１８０ａに螺合する。
【００５３】
次に、図１７に示すように、分岐ソケット１６９の分岐部１９０にパッキン１９１および袋ナット１９１ａを介して分岐バルブ１００を接続する。
【００５４】
続いて、図１８に示すように、分岐バルブ１００を介して、前記ホースＨを分岐ソケット１６９の分岐部１９０に接続する。
【００５５】
最後に、図１９に示すように、流量調節栓１６０ａ，１６１ａの止水状態を解除したり、止水栓を開いたりして分岐ソケット１６９および水用偏心管１６０間、水導入部１８３および分岐ソケット１６９間、分岐ソケット１６９および分岐バルブ１００間にそれぞれ水漏れがないかどうかをチェックする。
【００５６】
このようにして設置・使用される分岐バルブ１００の給水口部１１に前記吐水口部材３０を接続し、湯水混合水栓１６２のシングルレバー１６３を吐水操作することによって前記吐水口部材３０から浄水や原水を吐出させることができる。
【００５７】
【発明の効果】
この発明では、水道用コンセントにワンタツチで着脱できる浄水機能付吐水口部材を提供することができる。
【００５８】
また、この発明では、取替自在に内蔵される浄水カートリッジを有する吐水口部材が簡易着脱自在に接続される給水口部を備えた浄水機能付水栓を提供することができる。
【００５９】
更に、この発明では、給水口部を有する分岐バルブにワンタツチで着脱できる浄水機能付吐水口部材を提供することができる。
【図面の簡単な説明】
【図１】この発明の一実施形態を示す全体構成説明図である。
【図２】上記実施形態における取り付け動作を示す分解斜視図である。
【図３】上記実施形態における原水吐水状態で、かつ、直放水の状態を示す構成説明図である。
【図４】上記実施形態における浄水吐水状態で、かつ、直放水の状態を示す構成説明図である。
【図５】上記実施形態における原水吐水状態で、かつ、散水の状態を示す構成説明図である。
【図６】上記実施形態で用いた切替手段を示す分解斜視図である。
【図７】上記実施形態で用いる給水口部に対する接続後の状態を示す構成説明図である。
【図８】上記実施形態で用いる給水口部に対する接続前の状態を示す構成説明図である。
【図９】上記実施形態で用いた水道用コンセントの正面図である。
【図１０】上記実施形態で用いた水道用コンセントにおいて、枠体と化粧プレートを取り外したときの状態を示す正面図である。
【図１１】上記実施形態で用いた水道用コンセントを示す縦断面図である。
【図１２】上記実施形態で用いた水道用コンセントの使用状態を示す斜視図である。
【図１３】この発明の他の実施形態において、分岐バルブと共に用いられる分岐ソケット設置における第１工程を示す斜視図である。
【図１４】上記他の実施形態において、分岐バルブと共に用いられる分岐ソケット設置における第２工程を示す斜視図である。
【図１５】上記他の実施形態において、分岐バルブと共に用いられる分岐ソケット設置における第３工程を示す斜視図である。
【図１６】上記他の実施形態において、分岐バルブと共に用いられる分岐ソケット設置における第４工程を示す斜視図である。
【図１７】上記他の実施形態において、分岐バルブと共に用いられる分岐ソケット設置における第５工程を示す斜視図である。
【図１８】上記他の実施形態において、分岐バルブと共に用いられる分岐ソケット設置における第６工程を示す斜視図である。
【図１９】上記他の実施形態において、分岐バルブと共に用いられる分岐ソケット設置における第７工程を示す斜視図である。
【符号の説明】
７…操作部材、８…散水器、９…給水ホース、１０…継手部材、１１…給水口部、１９…弾性部材、２１…弁体、２２…弁座部材、３０…浄水機能付吐水口部材、３１…浄水カートリッジ、Ｄ…水道用コンセント。
【図１】
2004052375.tif 000003
【図２】
2004052375.tif 000004
【図３】
2004052375.tif 000005
【図４】
2004052375.tif 000006
【図５】
2004052375.tif 000007
【図６】
2004052375.tif 000008
【図７】
2004052375.tif 000009
【図８】
2004052375.tif 000010
【図９】
2004052375.tif 000011
【図１０】
2004052375.tif 000012
【図１１】
2004052375.tif 000013
【図１２】
2004052375.tif 000014
【図１３】
2004052375.tif 000015
【図１４】
2004052375.tif 000016
【図１５】
2004052375.tif 000017
【図１６】
2004052375.tif 000018
【図１７】
2004052375.tif 000019
【図１８】
2004052375.tif 000020
【図１９】
2004052375.tif 000021